(57)【要約】【課題】検体が開放環境で扱われることを抑制することができる検体採取器具、検出容器及び検査装置を得る。【解決手段】検体採取器具１５は、一端が綿球部２０Ａとされた綿棒２０の他端が連結されるキャップ１２と、キャップ１２に連結された綿棒２０が内部に挿入された状態でキャップ１２によって開口部２８を閉鎖する操作が行われた際に、操作に伴って綿球部２０Ａに対して相対的に動いて綿球部２０Ａから検体を拭い取る綿棒拭部３４、及び検体を検出するための検出容器へ前記抽出液を流出させるための開口予定部（底壁２６Ａ）が設けられた抽出液容器１４と、を備える。【選択図】図６
2017026554.tif 000002
【特許請求の範囲】
【請求項１】
一端が綿球部とされた綿棒の他端が連結されるキャップと、
一端が開口部とされ、かつ内部に前記綿球部に付着した検体を抽出する抽出液が貯留されると共に、
前記キャップに連結された前記綿棒が内部に挿入された状態で前記キャップによって前記開口部を閉鎖する操作が行われた際に、操作に伴って前記綿球部に対して相対的に動いて前記綿球部から前記検体を拭い取る綿棒拭部、及び検体を検出する検出容器へ前記抽出液を流出させるための開口予定部が設けられた抽出液容器と、
を備える検体採取器具。
【請求項２】
前記抽出液容器及び前記キャップの少なくとも一方の回転操作による螺合により前記開口部を閉鎖するための螺合部が、前記抽出液容器の前記開口部側及び前記キャップの一方に設けられ、
前記螺合部と螺合される被螺合部が、前記抽出液容器の前記開口部側及び前記キャップの他方に設けられている、
請求項１に記載の検体採取器具。
【請求項３】
螺旋方向が前記螺合部とは反対方向のネジ切り部が前記綿棒拭部に設けられている、
請求項２に記載の検体採取器具。
【請求項４】
請求項１〜請求項３の何れか一項に記載の検体採取器具の前記抽出液容器を保持する保持部と、
前記抽出液容器の前記開口予定部としての底壁に形成された脆弱部を破壊して前記底壁を開口する突起部と、
前記底壁の開口から流出した抽出液が流入する位置に設けられ、前記抽出液から検体を検出する検出部と、
を有する検出容器。
【請求項５】
請求項１〜３の何れか一項に記載の検体採取器具と、
請求項４に記載の検出容器と、
を備える検査装置。
【発明の詳細な説明】
【技術分野】
【０００１】
本発明は、検体採取器具、検出容器及び検査装置に関する。
【背景技術】
【０００２】
従来、インフルエンザなどの診断をするための検査装置が知られている。典型的な従来の検査装置では、まず、検体を採取した綿棒を抽出液が入った可撓製の抽出液容器に差込み、抽出液容器を綿棒ごと摘むことで、検体を抽出液へ移行させる。次に、抽出液容器を摘んだ状態のまま綿棒を引き抜き、抽出液容器の上部にフィルターを取付ける。最後に、抽出液容器を逆さまにし、フィルターを介して抽出液を検出試薬に滴下する。また、その他の関連技術として、例えば下記特許文献１に記載されたものがある。
【先行技術文献】
【特許文献】
【０００３】
【特許文献１】登録実用新案第３１６９６５９号公報
【発明の概要】
【発明が解決しようとする課題】
【０００４】
しかしながら、上記従来の検査装置では、綿棒を抽出液容器から抜く際や検出試薬への滴下の際など、検体が開放環境で扱われる状況が多い。そのため、例えば、綿棒を抽出液容器から抜く際には検体が飛散することが想定される。
【０００５】
本発明は上記事実を考慮し、検体が開放環境で扱われることを抑制することができる検体採取器具、検出容器及び検査装置を提供することを目的とする。
【課題を解決するための手段】
【０００６】
請求項１に記載の検体採取器具は、一端が綿球部とされた綿棒の他端が連結されるキャップと、一端が開口部とされ、かつ内部に前記綿球部に付着した検体を抽出する抽出液が貯留されると共に、前記キャップに連結された前記綿棒が内部に挿入された状態で前記キャップによって前記開口部を閉鎖する操作が行われた際に、操作に伴って前記綿球部に対して相対的に動いて前記綿球部から前記検体を拭い取る綿棒拭部、及び検体を検出する検出容器へ前記抽出液を流出させるための開口予定部が設けられた抽出液容器と、を備える。
【０００７】
請求項４に記載の検出容器は、請求項１〜請求項３の何れか一項に記載の検体採取器具の前記抽出液容器を保持する保持部と、前記抽出液容器の前記開口予定部としての底壁に形成された脆弱部を破壊して前記底壁を開口する突起部と、前記底壁の開口から流出した抽出液が流入する位置に設けられ、前記抽出液から検体を検出する検出部と、を有する。
【０００８】
請求項５に記載の検査装置は、請求項１〜３の何れか一項に記載の検体採取器具と、請求項４に記載の検出容器と、を備える。
【０００９】
この検体採取器具、検出容器及び検査装置は、以下のように使用することができる。
まず、使用者は、検体を採取した綿棒をキャップに連結するか、又は、キャップと連結された綿棒により検体を採取し、抽出液が入った抽出液容器の開口部をキャップにより閉鎖する。すると、綿棒の綿球部に抽出液容器の綿棒拭部が接触して、綿球部に付着した検体が拭い取られる。これにより、検体が抽出液容器内の抽出液に移行する。
次に、使用者は、キャップで閉鎖された抽出液容器を検出容器の保持部に挿入する。すると、検出容器の突起部が抽出液容器の底壁に当接して、抽出液容器の脆弱部が破壊され底壁が開口する。これにより、検体を含む抽出液が底壁の開口から流出し、検出容器へ流入する。そして、検出部により、流入した抽出液から検体が検出される。
【００１０】
以上の説明からも判るように、この検体採取器具、検出容器及び検査装置では、キャップにより抽出液容器を閉鎖してから検出部により検出されるまで、検体は閉鎖環境で取り扱われる。つまり、この検査装置によれば、検体を抽出液に移行させる工程から検体を検出する工程において、検体が開放環境で扱われることを抑制することができる。
【００１１】
請求項２に記載の検体採取器具は、請求項１に記載の検体採取器具において、前記抽出液容器及び前記キャップの少なくとも一方の回転操作による螺合により前記開口部を閉鎖するための螺合部が、前記抽出液容器の前記開口部側及び前記キャップの一方に設けられ、前記螺合部と螺合される被螺合部が、前記抽出液容器の前記開口部側及び前記キャップの他方に設けられている。
【００１２】
この検体採取器具では、抽出液容器の被螺合部にキャップの螺合部を螺合させることで、抽出液容器の開口部がキャップで閉鎖される。そのため、開口部をキャップで閉鎖する際、キャップと一体化している綿棒の綿球部は、螺旋状に回転しながら綿棒拭部に接触する。このため、キャップにより抽出液容器を閉鎖する作業と同時に、綿棒の綿球部を効率的に綿棒拭部に接触させることができ、その結果、検体を抽出液へ効率的に移行させることができる。
【００１３】
請求項３に記載の検体採取器具は、請求項２に記載の検体採取器具において、螺旋方向が前記螺合部とは反対方向のネジ切り部が前記綿棒拭部に設けられている。
【００１４】
この検体採取器具では、キャップで抽出液容器の開口部を閉鎖する際の綿球部の螺旋方向と、ネジ切り部の螺旋方向とが反対の関係にある。このため、綿球部をより効率的に綿棒拭部に接触させることができ、その結果、検体を抽出液へより効率的に移行させることができる。
【発明の効果】
【００１５】
以上説明したように、本発明に係る検体採取器具、検出容器及び検査装置は、検体が開放環境で扱われることを抑制することができる、という優れた効果を有する。
【図面の簡単な説明】
【００１６】
【図１】第１実施形態の検査装置において、キャップ、抽出液容器及び検出容器が互いに分離されている状態を示す斜視図である。
【図２】第１実施形態のキャップをその軸に沿って切断した端面を示す切断端面図である。
【図３】第１実施形態の抽出液容器を示す図であって、（Ａ）は軸に沿って切断した端面を示す切断端面図（図３（Ｂ）のＡ−Ａ線）であり、（Ｂ）は上方から見た平面図であり、（Ｃ）は抽出液容器の綿棒拭部のみを拡大して示す拡大斜視図である。
【図４】第１実施形態の検出容器を示す図であって、装置前後方向に沿って切断した様子を示す断面図である。
【図５】第１実施形態の検出容器の突起部のみ拡大して示す拡大図であって、（Ａ）は斜視図であり、（Ｂ）は上方から見た平面図である。
【図６】第１実施形態の検査装置の検体移行工程を示す図であり、キャップ及び抽出液容器の軸に沿って切断した様子を示す断面図である。
【図７】第１実施形態の検査装置の診断工程を示す図であり、装置前後方向に沿って切断した様子を示す断面図である。
【図８】図７の突起部周辺を拡大して示す拡大断面図である(綿棒は図示省略)。
【図９】第２実施形態の検査装置において、キャップ、抽出液容器及び検出容器が互いに分離している状態を示す斜視図である。
【図１０】第２実施形態の抽出液容器を示す図であって、（Ａ）は軸に沿って切断した端面を示す切断端面図（図１０（Ｂ）のＡ−Ａ線）であり、（Ｂ）は上方から見た平面図であり、（Ｃ）は抽出液容器の綿棒拭部のみを拡大して示す拡大斜視図である。
【図１１】第２実施形態の検出容器を示す図であって、装置前後方向に沿って切断した様子を示す断面図である。
【図１２】第２実施形態の検査装置の診断工程を示す図であり、装置前後方向に沿って切断した様子を示す断面図である(綿棒は図示省略)。
【図１３】図１２の突起部周辺を拡大して示す拡大断面図である(綿棒は図示省略)。
【図１４】第３実施形態の抽出液容器を示す図であって、（Ａ）は軸に沿って切断した端面を示す切断端面図（図１４（Ｂ）のＡ−Ａ線）であり、（Ｂ）は上方から見た平面図であり、（Ｃ）は抽出液容器の綿棒拭部のみを拡大して示す拡大斜視図である。
【発明を実施するための形態】
【００１７】
〔第１実施形態〕
以下、図１〜図８を用いて、本発明に係る検体採取器具、検出容器及び検査装置の第１実施形態について説明する。
【００１８】
図１には、第１実施形態の検査装置１０が示されている。この図に示されるように、検査装置１０は、３つの部品から構成されている。具体的には、検査装置１０は、検体を採取すると共に抽出液容器１４を閉じるためのキャップ１２と、検体を移行させる抽出液Ｌ（図６参照）を貯蔵するための抽出液容器１４と、検体が移行した抽出液Ｌにより診断結果を得るための検出容器１６と、を備えている。
なお、これら３つの部品のうち、キャップ１２と、抽出液容器１４とを合わせて検体採取器具と呼ぶこととする。
【００１９】
以下の説明では、図１に示される矢印ＦＲを装置前方、矢印ＵＰを装置上方、矢印Ｗを装置幅方向（左右方向）として説明を進める。また、単に前後、左右、上下の方向を用いて説明する場合は、特に断りのない限り、装置の前後方向の前後、装置の左右方向（装置幅方向）の左右、装置上下方向の上下を示すものとする。
【００２０】
＜キャップ＞
図２には、キャップ１２が切断端面図で示されている。この図に示されるように、キャップ１２は、キャップ本体１８に綿棒２０が一体化されることで構成されている。
【００２１】
（キャップ本体）
キャップ本体１８は、抽出液容器１４に上方から被さるように、抽出液容器１４の開口部２８を閉鎖することができる。詳細には、キャップ１２は、円形の上壁１８Ａと、上壁１８Ａの縁から垂下する側壁１８Ｂと、を備えている。側壁１８Ｂの内側には、後述する抽出液容器１４の被螺合部３０と螺合する螺合部２２が突出形成されている。また、上壁１８Ａの下側には、綿棒２０の軸部２０Ｂを連結するための筒状の綿棒連結部２４が形成されている。
【００２２】
（綿棒）
綿棒２０は、細い棒状の軸部２０Ｂと、軸部２０Ｂの下端に設けられた綿球部２０Ａと、を備えている。軸部２０Ｂは、例えばプラスチック製とされており、外部からの力によって変形する柔軟性を有していると共に、力が除かれると元の直線状の形状へ復元できる弾力性を有している。また、綿球部２０Ａは、例えばレーヨン製やナイロン製とされており、略回転楕円体形状（略長球状）に形成されている。これにより、鼻腔孔などの届きにくい部分の検体を綿球部２０Ａに付着させることで、検体を採取することができる。
【００２３】
＜抽出液容器＞
（容器本体）
図３には、抽出液容器１４が示されている。図３（Ａ）に示されるように、抽出液容器１４は、有底の円筒状に形成された容器本体２６を備えている。容器本体２６は、上方に向けて開口された形状であり、上端（一端）に開口部２８を有する。容器本体２６の側壁２６Ｂの上端付近であって側壁２６Ｂの外側には、キャップ１２の螺合部２２と螺合する被螺合部３０が突出形成されている。これにより、キャップ本体１８を回転させて、螺合部２２を被螺合部３０に螺合させることで、抽出液容器１４の開口部２８を閉鎖するようにキャップ１２を固定することができる。
【００２４】
（脆弱部）
容器本体２６の底壁２６Ａには、その板厚（壁厚）が他の部分よりも薄い薄肉部３２が形成されている。具体的には、薄肉部３２は、底壁２６Ａを下方から抉った様な形状とされており、また、平面視で（上方から見て）円形となる領域に形成されている。なお、この薄肉部３２が本発明の「脆弱部」に相当する。
【００２５】
（綿棒拭部）
容器本体２６の底壁２６Ａには、上方に向けて突出するようにリブ３６が設けられている。リブ３６は、図３（Ｂ）に示される平面視で、容器本体２６の底壁２６Ａの中心から放射状に複数（本実施形態では５つであり等間隔）形成されている。
【００２６】
それぞれのリブ３６の形状は、略五角形の板状とされており、下方に向かうに従って容器本体２６の中心軸に近づく第１傾斜部３６Ａと、第１傾斜部３６Ａの下端から連続して形成され、第１傾斜部３６Ａよりも急な傾斜とされた第２傾斜部３６Ｂと、を含んで構成されている。５つの第２傾斜部３６Ｂにより囲まれる空間は、綿棒２０の綿球部２０Ａよりも若干小さな空間とされている。これにより、第１傾斜部３６Ａが綿棒２０の綿球部２０Ａを容器本体２６の中心軸へガイドする働きをし、第２傾斜部３６Ｂが中心部へガイドされた綿球部２０Ａを拭う働きをする。なお、この複数のリブ３６が本発明の「綿棒拭部」（綿棒拭部３４）に相当する。
【００２７】
＜検出容器＞
図４には、検出容器１６が断面図で示されている。この図に示されるように、検出容器１６は、抽出液容器１４を保持するための保持部３８と、抽出液容器１４の容器本体２６の底壁２６Ａに穴を開けるための突起部４０と、抽出液容器１４から移動した抽出液により診断結果を表示するための検出部４２と、を備えている。
【００２８】
（保持部）
保持部３８は、直立した筒状とされている。保持部３８の内径は、抽出液容器１４の容器本体２６の外径と略同一とされている。これにより、抽出液容器１４の下部を保持部３８の内部に挿入することができるようになっている。また、挿入された状態で抽出液容器１４は保持され、かつ、筒状の保持部３８の上端が閉鎖されるようになっている。なお、第１実施形態では、保持部３８の高さは、抽出液容器１４の高さの２０〜４０％程とされている。
【００２９】
（突起部）
突起部４０は、保持部３８の内部に設けられている。図５（Ａ）、（Ｂ）には、突起部４０の形状が拡大して示されている。これらの図に示されるように、突起部４０は、竹を斜めに割った様な形状とされている。具体的には、図５（Ａ）に示されるように、円筒を上部にて斜めに切った形状とされ、突起部４０の上端部４０Ａは側面視で装置前方に進むにつれて上方へ向かう形状とされている。さらに、図５（Ｂ）に示されるように、円筒の一部を切り欠いた形状とされ、平面視でＣ字形状とされている。Ｃ字形状の開放部分４４は装置前方側を向いており、後述する検出試薬Ｋ（図７参照）が配置されるようになっている。
【００３０】
（検出部）
保持部３８の下方には検出部４２が設けられている。検出部４２は、保持部３８の下方位置から前方に向けて延びるような形状とされており、全体として略直方体形状とされている。これにより、図４に示されるように側面視で検出容器１６が略Ｌ字状とされ、検出容器１６が安定して自立するようになっている。また、検出部４２の内部には検出試薬Ｋ（図７参照、例えば、イムノクロマト紙）を水平方向に配置可能とされた検出試薬配置部４４が形成されている。また、検出部４２には、検出試薬配置部４４に配置された検出試薬Ｋによる検出結果を目視できるように、上方に開口した窓部４６が形成されている。
【００３１】
なお、本実施形態の検出容器１６は、検出容器１６の下部を構成する第１部品１６Ａと、検出容器１６の上部を構成する第２部品１６Ｂと、から構成されている。第１部品１６Ａは、検出部４２の下部と、突起部４０と、検出試薬配置部４４と、を含んで構成されている。他方、第２部品１６Ｂは、検出部４２の上部と、保持部３８と、窓部４６と、を含んで構成されている。
【００３２】
―作用・効果―
次に、本実施形態の検査装置１０の使用方法を説明すると共に、本実施形態の検査装置１０の作用及び効果について説明する。
【００３３】
（１．検体採取）
まず、キャップ１２を用い、検体を採取する。具体的には、綿棒２０の軸部２０Ｂやキャップ本体１８を握り、綿球部２０Ａを鼻腔孔内などへ導いて検体を付着させる。
【００３４】
（２．抽出液容器のアルミ蓋を剥がす）
次に、抽出液容器１４の開口部２８を塞いでいるアルミ蓋を剥がす。なお、抽出液容器１４には、通常、抽出液Ｌが貯蔵されており、開口部２８を塞ぐようにアルミ蓋（図示省略）で閉鎖されているのでその前提で説明を進めている。
【００３５】
（３．キャップを抽出液容器に固定する）
次に、図６に示されるように、キャップ１２を抽出液容器１４に固定する。具体的には、キャップ本体１８の螺合部２２を容器本体２６の被螺合部３０に螺合させるように、検体を採取した綿棒２０が一体化したキャップ１２を抽出液容器１４に対して回転させて固定する。
ここで、キャップ１２を抽出液容器１４に固定する際に、まずキャップ１２を抽出液容器１４に被せた状態（螺合する前の状態）では、綿球部２０Ａの先端（下端）がリブ３６の第１傾斜部３６Ａ付近に位置する。この状態からキャップ１２を回転させることで、キャップ１２と一体化している綿棒２０の綿球部２０Ａは、回転しながら下方へ移動する。そのため、綿球部２０Ａは、第１傾斜部３６Ａにより抽出液容器の中心軸側へガイドされつつ、最終的には第２傾斜部３６Ｂと擦れ合う。これにより、綿球部２０Ａに付着した検体が抽出液Ｌへ移行する。
以上のように、キャップ１２を抽出液容器１４に固定する作業と同時に、綿棒２０の綿球部２０Ａから抽出液Ｌへ検体を移行させることができる。
【００３６】
（４．検出容器に抽出液容器を差し込む）
次に、図７に示されるように、抽出液容器１４を検出容器１６に差し込む。具体的には、抽出液容器１４の容器本体２６の下部を、検出容器１６の保持部３８に挿入する。
すると、図８に拡大して示されるように、検出容器１６の突起部４０が、抽出液容器１４の容器本体２６の底壁２６Ａの薄肉部３２に当接し、底壁２６Ａに穴が開く。これにより、抽出液容器１４の抽出液Ｌが検出部４２に移動する。
【００３７】
（５．判定待ち）
すると、検出部４２に移動した抽出液Ｌは、検出試薬Ｋに浸透する。さらに暫くすると、検出試薬Ｋにおける、検出部４２の窓部４６に対応する位置に検出結果が表示される。これにより、窓部４６を通して検出結果を確認することができる。
【００３８】
以上の説明から判るように、本実施形態の検査装置１０では、キャップ１２により抽出液容器１４を閉鎖してから検出結果を確認するまで、検体は閉鎖環境で取り扱われる。つまり、この検査装置１０によれば、検体を抽出液Ｌに移行させる工程から検出結果を得るまでの工程をすべて閉鎖環境で行うことができ、その結果、感染リスクが軽減されている。
【００３９】
また、本実施形態の検査装置１０では、キャップ１２を抽出液容器１４に固定する作業と同時に、綿棒２０の綿球部２０Ａから検体を抽出液Ｌへ移行させることができる。つまり、使用者による作業が簡略化されている。また、これにより、綿棒２０の綿球部２０Ａを間接的に（抽出液チューブなどを介して）摘まむことで抽出液へ移行させる従来の検査装置と比較して、検体の移行にバラつきがでることを抑制できる。
【００４０】
また、本実施形態の検査装置１０では、抽出液容器１４の被螺合部３０にキャップ１２の螺合部２２を螺合させることで、抽出液容器１４の開口部２８がキャップ１２で閉鎖される。そのため、開口部２８をキャップ１２で閉鎖する際、キャップ本体１８と一体化している綿棒２０の綿球部２０Ａは、綿棒拭部３４（複数のリブ３６）に接触しながら回転している。その結果、キャップ１２により抽出液容器１４を閉鎖する作業と同時に行われる検体移行がより効率的になっている。
【００４１】
〔第２実施形態〕
以下、図９〜図１３を用いて、本発明に係る検体採取器具、検出容器及び検査装置の第２実施形態について説明する。
【００４２】
図９には、第２実施形態の検査装置５０が示されている。この図に示されるように、第２実施形態の検査装置５０も、第１実施形態の検査装置１０と同様に、３つの部品から構成されている。第２実施形態の検査装置５０が第１実施形態の検査装置１０と異なる構成部分は、抽出液容器５４の綿棒拭部３４の構成と、検出容器５６の検出部８２の構成である。その他の構成部分については、略同一であるので、同一番号を付してその説明を省略する。
【００４３】
（綿棒拭部）
図１０には、第２実施形態の抽出液容器５４が示されている。図１０（Ｃ）に示されるように、第２実施形態の抽出液容器５４の綿棒拭部３４は、略円筒形の拭部本体７６と、拭部本体７６を容器本体２６の側壁２６Ｂに連結する３つの連結部７８と、を備えている。
【００４４】
拭部本体７６は、全体として円柱状とされ、その軸に対応する部分を貫通する拭孔８０が形成されている。拭孔８０は、下方に向かって次第に縮径する形状とされている。詳細には、拭孔８０の周壁は、上端において拭部本体７６の上面と滑らかに連続しており、下方に行くに従って滑らかに湾曲して、下端付近においては略垂直とされている。拭孔８０の下部における直径は、綿棒２０の軸部２０Ｂが余裕をもって挿入可能であると共に、綿棒２０の綿球部２０Ａが圧縮されながらも挿入可能である大きさとされている。
【００４５】
３つの連結部７８は、平面視で放射状かつ等間隔に設けられている。また、容器本体２６の側壁２６Ｂのうち連結部７８が連結されている部分は、容器本体２６の底壁２６Ａから離間した若干高い位置とされている。なお、連結部７８の数や配置は、適宜変更可能である。
【００４６】
（検出部）
図９及び図１１には、第２実施形態の検出容器５６が示されている。これらの図に示されるように、検出容器５６では、検出部８２が保持部３８に隣接するように垂直に設けられている。具体的には、検出部８２は、保持部３８の下方の位置から若干前方へ延び、その後上方へ向かって延びる形状とされている。これにより、第２実施形態の検出部８２では、検出試薬Ｋが略Ｌ字状になるように配置可能とされている（図１２参照）。
【００４７】
また、検出部８２の上端の位置と保持部３８の上端の位置は、略同一の高さとされている。以上のように構成され、第２実施形態の検査装置５０は、第１実施形態の略Ｌ字形状とされた検査装置１０と異なり、コンパクトに収まる形状となっている。
なお、第２実施形態の検出容器５６には、第１実施形態のような窓部４６が形成されていないが、全体が透明なプラスチック製とされている。このため、検出試薬Ｋの検出結果を確認することができる。
【００４８】
―作用・効果―
次に、第２実施形態の検査装置５０の作用及び効果について説明する。なお、使用方法については、第１実施形態と略同一であるため説明を省略する。
【００４９】
第２実施形態の抽出液容器５４では、綿棒拭部３４が拭部本体７６を含んで構成されており、拭部本体７６には下方に向かって次第に縮径する拭孔８０が形成されている。このため、キャップ１２を抽出液容器５４に固定する際、綿棒２０の綿球部２０Ａが拭孔８０の内部へ押し込まれる。これにより、綿球部２０Ａが絞られ、綿球部２０Ａに付着した検体が抽出液Ｌへ移行する。
このように、第２実施形態の検査装置５０においても、キャップ１２で抽出液容器５４を閉鎖する作業と同時に、綿棒２０の綿球部２０Ａから検体を抽出液Ｌへ移行させることができる。
【００５０】
〔他の実施形態〕
以下、図１４を用いて、変形例の抽出液容器９４について説明する。なお、前述した第１実施形態と同一構成部分については同一番号を付してその説明を省略する。
【００５１】
図１４に示されるように、変形例の抽出液容器９４では、綿棒拭部３４は、容器本体２６の側壁２６Ｂから突出形成された５つのリブ９６により構成されている。リブ９６は、容器本体２６の底壁２６Ａから離間した高さ位置に設けられている。それぞれのリブ９６の形状は、全体として第１実施形態のリブ３６と同様の略五角形とされているが、リブ３６の第２傾斜部３６Ｂに対応する部分の形状が大きく異なっており、ネジ切り部９６Ｂが形成されている
【００５２】
５つのリブ９６の５つのネジ切り部９６Ｂはそれぞれ、抽出液容器９４の容器本体２６の中心軸を向くように配置されている。そして、これら５つのネジ切り部９６Ｂを併せて形状を把握した場合、螺旋状の形状と把握される組合わせとなっている。さらに、この比較例では、５つのネジ切り部９６Ｂは、その螺旋方向が容器本体２６の側壁２６Ｂに形成された被螺合部３０と逆方向とされている。すなわち、容器本体２６の被螺合部３０は、下方に進むに従って右回りをするように形成されているのに対し、５つのネジ切り部９６Ｂは全体として、下方に進むに従って左回りするように形成されている。換言すると、容器本体２６の被螺合部３０は、右ねじとされており、５つのネジ切り部９６Ｂは全体として、左ねじとされている。
【００５３】
―作用・効果―
次に、変形例に係る作用及び効果について説明する。
【００５４】
変形例に係る抽出液容器９４では、綿棒拭部３４は、全体として螺旋状とされた複数（図では５つ）のネジ切り部９６Ｂを備えている。そして、５つのネジ切り部９６Ｂの螺旋方向は、容器本体２６の側壁２６Ｂに形成された被螺合部３０と逆方向とされている。このため、キャップ１２を抽出液容器９４に固定する際、キャップ１２と一体化された綿棒２０の綿球部２０Ａの螺旋方向と、ネジ切り部９６Ｂの螺旋方向とが反対の関係にあるため、綿球部２０Ａがより効率的に絞られる。その結果、この変形例では、検体を抽出液Ｌへ移行させる工程がさらに効率的に行われるようになっている
【００５５】
〔上記実施形態の補足説明〕
なお、上述した各実施形態では、キャップ本体１８の側壁１８Ｂの内側に螺合部２２が形成され、容器本体２６の側壁２６Ｂの外側に被螺合部３０が形成されたものであったが、本発明はこれに限られない。キャップを抽出液容器に対して回転させることで開口部を閉鎖するものであればよく、例えば、キャップの側壁の外側に被螺合部が形成され、容器本体の側壁の内側に螺合部が形成されたものであってもよい。
【００５６】
さらに言うと、本発明の検査装置は、キャップを抽出液容器に対して回転させることで開口部が閉鎖されるものに限られない。例えば、キャップを抽出液容器の開口部に被せ、キャップに対し容器軸方向に力を加えることにより、キャップを回転させることなく固定可能なものであってもよい。この場合、キャップの固定後に抽出液容器に対してキャップを回転可能な構成であってもよいし、回転不能であってもよい。
【００５７】
また、第２実施形態では、綿棒拭部３４に関して拭孔８０が滑らかな周壁を有するものであったが、本発明はこれに限られず、拭孔８０の周壁に上記比較例で説明したネジ切り部が形成されていてもよい。すなわち、拭孔８０に被螺合部３０と反対方向の螺旋状の溝（ネジ切り部）が形成されてもよい。この場合も比較例と同様、より効率的に検体を移行させることができる。
また、拭孔８０の周壁に形成された溝は螺旋状になっていなくてもよく、水平方向の溝が上下方向に並列して複数設けられたものであってもよい。
【００５８】
また、上記実施形態では、キャップは綿棒と一体化されていたが、本発明はこれに限られず、綿棒と一体化可能なものであれば一体化されていなくても本発明に含まれる。また、保持部３８は筒状とされていたが、本発明の保持部はこれに限られず、抽出液容器を保持する構造であれば、様々な構造が保持部に含まれる。
【００５９】
また、上記実施形態では、検出容器の突出部が所謂竹を斜めに割った形状とされていたが、本発明はこれに限られない。例えば、平面視では十字形状とされ、側面視では上方に向かって先細となる山形状とされた突出部であってもよい。その他、抽出液容器の容器本体の底壁に穴を開けることができる形状であれば様々な形状が含まれる。
【００６０】
また、上記実施形態では、抽出液容器１４の容器本体２６の底壁２６Ａに脆弱部としての薄肉部３２が設けられており、この底壁２６Ａが開口して抽出液Ｌが流出するものであったが、請求項１に記載の検体採取器具はこれに限られない。すなわち、検出容器へ抽出液を流出させるための開口予定部が設けられたものであれば、開口予定部は、脆弱部が設けられた底壁に限定されない。例えば、脆弱部は側壁に設けられても良いし、脆弱部が容易に破断が可能な別素材でも良いし、抽出液容器１４の容器本体２６全体が軟素材であっても良い。
【符号の説明】
【００６１】
１０   検査装置
１４   抽出液容器
１５   検体採取器具
１６   検出容器
２０   綿棒
２０Ａ 綿球部
２２   螺合部
２４   綿棒連結部
２６Ａ 底壁（抽出液容器の底壁、開口予定部）
２８   開口部
３０   被螺合部
３２   薄肉部（脆弱部）
３４   綿棒拭部
３６   リブ
３８   保持部
４０   突起部
４２   検出部
５０   検査装置
５４   抽出液容器
５６   検出容器
８２   検出部
９４   抽出液容器
９６   リブ
９６Ｂ ネジ切り部
【図１】
2017026554.tif 000003
【図２】
2017026554.tif 000004
【図３】
2017026554.tif 000005
【図４】
2017026554.tif 000006
【図５】
2017026554.tif 000007
【図６】
2017026554.tif 000008
【図７】
2017026554.tif 000009
【図８】
2017026554.tif 000010
【図９】
2017026554.tif 000011
【図１０】
2017026554.tif 000012
【図１１】
2017026554.tif 000013
【図１２】
2017026554.tif 000014
【図１３】
2017026554.tif 000015
【図１４】
2017026554.tif 000016